(57)【要約】【課題】緩衝のための他の部材を用いる梱包材に比べて、１つのシートを折り曲げて、被梱包物への衝撃を低減させつつ被梱包物を固定することができる梱包材を提供する。【解決手段】１つのシートを折った際に形成される、被梱包物を内部に収納可能な複数の壁部からなる収容部と、壁部の１つから外側に向けて壁部を延長した状態で突出し衝撃を緩衝可能な緩衝部と、収容部の内側に向くように緩衝部に対して傾斜して被梱包物を押さえる押さえ部と、を備えた梱包材。【選択図】図２
2020100430.tif 000002
【特許請求の範囲】
【請求項１】
被梱包物を内部に収納可能な複数の壁部からなる収容部と、
前記壁部の１つから外側に向けて前記壁部を延長した状態で突出し衝撃を緩衝可能な緩衝部と、を備えた、
ことを特徴とする梱包材。
【請求項２】
前記収容部の内側に向くように前記緩衝部に対して傾斜して前記被梱包物を押さえる押さえ部を備えた、
ことを特徴とする請求項１に記載の梱包材。
【請求項３】
前記収容部、前記緩衝部及び前記押さえ部は１つのシートを折り込んで形成されるものであって、前記シートは、前記壁部に続いて配置された第１側部と、前記第１側部が続く前記壁部とは異なる前記壁部に続いて配置され、且つ、前記第１側部を挟んで設けられた第２側部とを有し、前記押さえ部は、前記第１側部に対して前記第２側部を４５°より大きい角度で谷折りで内側に折り込むことにより、前記収容部に向かって傾斜する前記第１側部によって形成されている、
ことを特徴とする請求項２に記載の梱包材。
【請求項４】
前記収容部、前記緩衝部及び前記押さえ部は１つのシートを折り込んで形成されるものであって、前記シートは、前記複数の壁部のうち、最も外側に配置された壁部に続いて配置された第３側部と、前記第３側部が配置された前記壁部の隣に配置された前記壁部に続いて配置された第４側部とを有し、前記緩衝部は、前記第４側部の一部が折り込まれて前記第４側部の一部と他部とが互いに合わさった部分と、前記第３側部により形成されている、
ことを特徴とする請求項２に記載の梱包材。
【請求項５】
前記緩衝部は、前記壁部に対して交差する方向の端部を有する、
ことを特徴とする請求項４に記載の梱包材。
【請求項６】
前記第１側部は、折られる前のシート状態で、前記第１側部のうち前記押さえ部を形成する部分よりも外側に配置されたフラップ部を有し、前記フラップ部が前記収容部の外側に折り曲げられている、
ことを特徴とする請求項３に記載の梱包材。
【請求項７】
前記フラップ部は、折り曲げ方向に沿った幅が前記第１側部よりも広い、
ことを特徴とする請求項６に記載の梱包材。
【請求項８】
前記第２側部は、前記収容部よりも外側で山折り谷折りされる折り部を有し、前記折り部に前記フラップ部の折り曲げ方向と交差する方向の両端部が折り込まれて固定される、
ことを特徴とする請求項７に記載の梱包材。
【請求項９】
前記壁部は、前記壁部を内側へ折り曲げたとき、前記収容部を塞いだ状態を保持するロック用の舌片と、前記ロック用の舌片が嵌るロック用の孔を有する、
ことを特徴とする請求項１ないし８のいずれか１項に記載の梱包材。
【請求項１０】
前記被梱包物は、側部に突起物を設けた長尺部材である、
ことを特徴とする請求項１ないし９のいずれか１項に記載の梱包材。
【発明の詳細な説明】
【技術分野】
【０００１】
本発明は、梱包材に関する。
【背景技術】
【０００２】
画像形成装置に用いられる粉体を収容する粉体収容容器を内部に収容可能な収容部と、収容部の外側に設けられ振動を吸収する振動吸収部と、を有する梱包材が知られている（特許文献１）。
【０００３】
周壁をなす４枚の枠板の上縁にそれぞれ鍔板を連設し、鍔板を内側へ折り込み、隣り合う鍔板同士を一組ずつ連結片を介して繋ぎ合わせ、連結片の基端折目線を枠板の上縁に対し４５°より大きい角度で傾斜させることにより、周壁を角筒状に組み立てると、鍔板が斜め下方へ向くようにし、上方から保水用の袋を被せて使用する切花の保水容器も知られている（特許文献２）。
【先行技術文献】
【特許文献】
【０００４】
【特許文献１】特開２０１７−４０８８８号公報
【特許文献２】特開２００４−３３８７６７号公報
【発明の概要】
【発明が解決しようとする課題】
【０００５】
本発明は、緩衝のための他の部材を用いる梱包材に比べて、１つのシートを折り込んで、被梱包物への衝撃を低減させつつ被梱包物を固定することができる梱包材を提供する。
【課題を解決するための手段】
【０００６】
前記課題を解決するために、請求項１記載の梱包材は、
被梱包物を内部に収納可能な複数の壁部からなる収容部と、
前記壁部の１つから外側に向けて前記壁部を延長した状態で突出し衝撃を緩衝可能な緩衝部と、を備えた、
ことを特徴とする。
【０００７】
請求項２記載の発明は、請求項１に記載の梱包材において、
前記収容部の内側に向くように前記緩衝部に対して傾斜して前記被梱包物を押さえる押さえ部を備えた、
ことを特徴とする。
【０００８】
請求項３記載の発明は、請求項２に記載の梱包材において、
前記収容部、前記緩衝部及び前記押さえ部は１つのシートを折り込んで形成されるものであって、前記シートは、前記壁部に続いて配置された第１側部と、前記第１側部が続く前記壁部とは異なる前記壁部に続いて配置され、且つ、前記第１側部を挟んで設けられた第２側部とを有し、前記押さえ部は、前記第１側部に対して前記第２側部を４５°より大きい角度で谷折りで内側に折り込むことにより、前記収容部に向かって傾斜する前記第１側部によって形成されている、
ことを特徴とする。
【０００９】
請求項４記載の発明は、請求項２に記載の梱包材において、
前記収容部、前記緩衝部及び前記押さえ部は１つのシートを折り込んで形成されるものであって、前記シートは、前記複数の壁部のうち、最も外側に配置された壁部に続いて配置された第３側部と、前記第３側部が配置された前記壁部の隣に配置された前記壁部に続いて配置された第４側部とを有し、前記緩衝部は、前記第４側部の一部が折り込まれて前記第４側部の一部と他部とが互いに合わさった部分と、前記第３側部により形成されている、
ことを特徴とする。
【００１０】
請求項５記載の発明は、請求項４に記載の梱包材において、
前記緩衝部は、前記壁部に対して交差する方向の端部を有する、
ことを特徴とする。
【００１１】
請求項６記載の発明は、請求項３に記載の梱包材において、
前記第１側部は、折られる前のシート状態で、前記第１側部のうち前記押さえ部を形成する部分よりも外側に配置されたフラップ部を有し、前記フラップ部が前記収容部の外側に折り曲げられている、
ことを特徴とする。
【００１２】
請求項７記載の発明は、請求項６に記載の梱包材において、
前記フラップ部は、折り曲げ方向に沿った幅が前記第１側部よりも広い、
ことを特徴とする。
【００１３】
請求項８記載の発明は、請求項７に記載の梱包材において、
前記第２側部は、前記収容部よりも外側で山折り谷折りされる折り部を有し、前記折り部に前記フラップ部の折り曲げ方向と交差する方向の両端部が折り込まれて固定される、
ことを特徴とする。
【００１４】
請求項９記載の発明は、請求項１ないし８のいずれか１項に記載の梱包材において、
前記壁部は、前記壁部を内側へ折り曲げたとき、前記収容部を塞いだ状態を保持するロック用の舌片と、前記ロック用の舌片が嵌るロック用の孔を有する、
ことを特徴とする。
【００１５】
請求項１０記載の発明は、請求項１ないし９のいずれか１項に記載の梱包材において、
前記被梱包物は、側部に突起物を設けた長尺部材である、
ことを特徴とする。
【発明の効果】
【００１６】
請求項１に記載の発明によれば、緩衝部分を外側にもたせる梱包材に比べて、緩衝部分が潰れて緩衝機能が損なわれることなく、被梱包物への衝撃を低減させることができる。
【００１７】
請求項２に記載の発明によれば、収容部内で被梱包物の一部を押さえることができる。
【００１８】
請求項３に記載の発明によれば、１つのシートを折り込んで、被梱包物の一部を押さえることができる。
【００１９】
請求項４に記載の発明によれば、緩衝部を１平面のみで形成する構成に比べて、衝撃を低減することができる。
【００２０】
請求項５に記載の発明によれば、衝撃をより低減することができる。
【００２１】
請求項６に記載の発明によれば、内側に折り込まれた場合に比べて、収容部と緩衝部の間の隙間を塞ぐことができる。
【００２２】
請求項７に記載の発明によれば、押さえ部からの梱包材の容易な開梱を防ぐことができる。  
【００２３】
請求項８に記載の発明によれば、押さえ部からの梱包材の容易な開梱を防ぐことができる。  
【００２４】
請求項９に記載の発明によれば、収容部を接着することなく閉鎖することができる。
【００２５】
請求項１０に記載の発明によれば、運搬時に、被梱包物の突起物の先端部が傷付くのを防止することができる。
【図面の簡単な説明】
【００２６】
【図１】梱包材の外観を示す斜視図である。
【図２】梱包材の内部を示す縦断面模式図である。
【図３】梱包材を展開した状態のシートを示す平面図である。
【図４】梱包材を展開したシートから折り込む状態を示す平面図である。
【図５】シートを折り込んで押さえ部を形成した状態を示す平面図である。
【図６】シートを折り込んで押さえ部を形成した梱包材の斜視図である。
【図７】組み立てられた梱包材の緩衝部側に視点をおいた側面図である。
【図８】ロック機構を説明する斜視図である。
【図９】衝撃を受けた場合の梱包材の作用を説明する断面模式図である。
【図１０】振動を受けた場合の梱包材の作用を説明する断面模式図である。
【図１１】梱包材を展開した状態のシートを示す平面図である。
【図１２】シートを折り込んで押さえ部を形成した梱包材の斜視図である。
【図１３】組み立てられた梱包材の緩衝部側に視点をおいた側面図である。
【図１４】変形例に係る梱包材を展開した状態のシートを示す平面図である。
【図１５】梱包材を展開したシートから折り込む状態を示す平面図である。
【図１６】組み立てられた梱包材の緩衝部側に視点をおいた側面図である。
【発明を実施するための形態】
【００２７】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００２８】
「第１実施形態」
（１）梱包材の構成
図１は梱包材１００の外観を示す斜視図、図２は梱包材１００の内部を示す縦断面模式図、図３は梱包材１００を展開した状態のシートを示す平面図である。
以下、図面を参照しながら梱包材１００の構成を説明する。  
【００２９】
梱包材１００は、図１及び図２に示すように全体が長尺の四角柱形状で、内部に被梱包物Ｗの一例としての長尺部材を収用可能な梱包材であり、図３に示す段ボール、クラフト紙又はプラスチック材からなる１つのシートＳを構成部材として折り込んで組み立てられるものである。
梱包材１００は、被梱包物Ｗを内部に収納可能な収容部１１０と、収容部１１０の外側に突出して衝撃を緩衝可能な緩衝部１２０と、収容部１１０の内側に向くように緩衝部１２０に対して傾斜して被梱包物Ｗを押さえる押さえ部１３０を備えている。
【００３０】
１つのシートＳには、折り込み線（谷折り線）１０１、１０２、１０３、１０４を谷折りに折り曲げて収容部１１０を形成する複数の壁部１１１、１１２、１１３、１１４、１１５が設けられている。
収容部１１０を形成した際に底面となる壁部１１１の長さ方向における両側には、壁部１１１に続いて折り込み線（谷折り線）１０５を介して第１側部１１６が配置されている。第１側部１１６は、後述するように、折り込み線１０５で谷折りされて押さえ部１３０を形成する。
【００３１】
底面となる壁部１１１に隣り合い、折り込んだ際に収容部１１０の側面となる壁部１１２、１１３の長さ方向における両側には、壁部１１２、１１３に続いて第１側部１１６と折り込み線（山折り線）１０１ａ、１０２ａを介して隣り合う第２側部１１７が配置されている。
【００３２】
また、収容部１１０の側面となる壁部１１２、１１３の長さ方向における両側には、第２側部１１７と隣り合うように折り込み線（谷折り線）１０６で区画された第４側部１１８が配置されている（図３中  網掛け部参照）。
折り込み線１０６は、折り込み線（山折り線）１０１ａ、１０２ａに対して４５°より大きい角度で形成され、後述するように、第２側部１１７は折り込み線１０６（谷折り線）を内側に折り込む（谷折り）ことで、第１側部１１６が収容部１１０に向かって傾斜して押さえ部１３０が形成される。尚、本実施形態においては、折り込み線１０６の折り込み線（山折り線）１０１ａ、１０２ａに対する角度は５０°で形成されている。
【００３３】
収容部１１０の側面となる壁部１１２、１１３に隣り合う、最も外側に配置された壁部１１４、１１５の長さ方向における両側には、壁部１１４、１１５に続いて第３側部１１９が配置されている（図３中  網掛け部参照）。
緩衝部１２０は、後述するように、第４側部１１８が折り込み線１０６（谷折り線）で折り込まれ、その一部が他部となる隣り合う第２側部１１７と重なるように合わさった部分と、第３側部１１９で形成され、収容部１１０の外側に突出している。
【００３４】
第１側部１１６のうち押さえ部１３０を形成する部分よりも外側には折り込み線（山折り線）１０７を介してフラップ部１１６ａが配置されている。フラップ部１１６ａは、後述するように、折り込み線（山折り線）１０７で山折りされ収容部１１０の外側に折り曲げられる。これにより、内側に折り込まれた場合に比べて、収容部１１０と緩衝部１２０の間の隙間を塞ぐことができる。
【００３５】
最も外側に配置された壁部１１４、１１５は、壁部１１１、１１２、１１３、１１４、１１５を折り込み線（谷折り線）１０１、１０２、１０３、１０４で内側へ折り込んで収容部１１０を形成する際に収容部１１０の天面となる天面内蓋及び天面外蓋を構成する。
【００３６】
天面外蓋となる最も外側に配置された壁部１１４の長さ方向における中央部には、収容部１１０を塞いだ状態を保持するロック用の舌片１１５ａが設けられ、天面内蓋となる他方の最も外側に配置された壁部１１５の長さ方向における中央部には、ロック用の舌片１１５ａが嵌るロック用の孔１１４ａが設けられている。
また、壁部１１４には、切り起こし片１１４ｂが形成され、舌片１１５ａには切り起こし片１１４ｂが嵌るロック用の穴１１５ｂが設けられている。これにより、後述するように、収容部１１０は壁部１１４、１１５で塞がれた状態でロックされる。
【００３７】
（２）梱包材の組み立て
図４は梱包材１００を展開したシートＳから折り込む状態を示す平面図、図５はシートＳを折り込んで押さえ部１３０を形成した状態を示す平面図、図６はシートＳを折り込んで押さえ部１３０を形成した梱包材１００の斜視図、図７は組み立てられた梱包材１００の緩衝部１２０側に視点をおいた側面図、図８はロック機構を説明する斜視図である。
【００３８】
梱包材１００を図３に示す１つのシートＳから組み立てる場合、図４に示すように、まず、収容部１１０の底面となる壁部１１１に対して収容部１１０の側面となる壁部１１２、１１３を折り込み線１０１、１０２で谷折りで折り込む（図４中  矢印Ｒ１参照）。
【００３９】
次に、壁部１１１に続く第１側部１１６を折り込み線１０５で谷折りしながら、壁部１１１に隣り合う壁部１１２、１１３の長さ方向における両側に配置された第２側部１１７（図４中  網点で示す）を折り込み線（山折り線）１０１ａ、１０２ａで山折りに折り込むと同時に、折り込み線（山折り線）１０１ａ、１０２ａに対して４５°より大きい角度で形成された折り込み線１０６（谷折り線）で内側に折り込む（谷折り：図４中  矢印Ｒ２参照）。
【００４０】
これにより、折り込み線１０６が折り込み線（山折り線）１０１ａ、１０２ａに対して４５°より大きい角度で形成されているために、図５に示すように、第１側部１１６は壁部１１１及び壁部１１２、１１３で形成される収容部１１０に向かって傾斜して折り込まれることになる。このようにして第１側部１１６が収容部１１０に対して内側に傾斜した押さえ部１３０が形成される。
【００４１】
第２側部１１７を折り込み線１０６で内側に折り込むと、図５に示すように、第２側部１１７は収容部１１０の側面となる壁部１１２、１１３の長さ方向における両側に第２側部１１７と隣り合うように折り込み線（谷折り線）１０６で区画されて配置された第４側部１１８の一部と重なり合う。これにより、第４側部１１８の一部と重なり合った第２側部１１７は、収容部１１０に対して外側に突出して緩衝部１２０の一部となる。
【００４２】
このように、壁部１１１に対して壁部１１２、１１３、第１側部１１６及び第２側部１１７、１１７を折り込むことで、図６に示すように、収容部１１０及び押さえ部１３０が形成される。そして、収容部１１０の天面となる最も外側に配置された壁部１１４、１１５を内側に折り込む（図６中  矢印Ｒ３参照）ことで、図３に示す梱包材１００が組み立てられる。
ここで、最も外側に配置された壁部１１４、１１５の長さ方向における両側に壁部１１４、１１５に続いて配置された第３側部１１９と、第４側部１１８の一部と重なり合った第２側部１１７で緩衝部１２０が形成される。
【００４３】
このように形成された緩衝部１２０は、図１に示すように、壁部１１２、１１３、１１４、１１５に対して交差する方向の端部１２０ａを有した態様となる。具体的には、端部１２０ａは、収容部１１０の長手方向に対して交差して面一の高さとなる。これにより、梱包材１００が衝撃や振動等の物流負荷を受けた場合、緩衝部１２０の端部１２０ａが全体で接触面と接触しやすくなり、物流負荷としての衝撃や振動等をより低減することができる。
【００４４】
第１側部１１６のうち押さえ部１３０を形成する部分よりも外側に配置されたフラップ部１１６ａは、折り込み線（山折り線）１０７で山折りされ収容部１１０の外側に折り曲げられる（図６  参照）。
収容部１１０の外側に折り曲げられたフラップ部１１６ａは、図７に示すように、天面内蓋となる壁部１１４の長さ方向における両側に壁部１１４に続いて配置された第３側部１１９と面接触して状態になる。これにより、フラップ部１１６ａが内側に折り込まれた場合に比べて、収容部１１０と緩衝部１２０の間の隙間を塞ぐことができる。
【００４５】
収容部１１０、緩衝部１２０及び押さえ部１３０が形成された梱包材１００は、収容部１１０に被梱包物Ｗを押さえ部１３０で押さえるように載置して、図８に示すように、天面内蓋となる最も外側の壁部１１４及び天面外蓋となる最も外側の壁部１１５を折り曲げ線１０３、１０４で谷折りで折り曲げて（図８中  矢印Ｒ４参照）ロック機構でロックすることで組み立てが完了する。
ロック機構は、壁部１１５に設けられたロック用の舌片１１５ａを壁部１１４に設けられたロック用の孔１１４ａに嵌め込むことで形成される。さらに、壁部１１４に設けられた切り起こし片１１４ｂを舌片１１５ａに設けられたロック用の穴１１５ｂに嵌め込むことで収容部１１０は壁部１１４、１１５で塞がれた状態でロックされる。
【００４６】
（３）梱包材の緩衝作用
図９は衝撃を受けた場合の梱包材１００の作用を説明する断面模式図、図１０は振動を受けた場合の梱包材１００の作用を説明する断面模式図である。
図９に示すように、梱包材１００は収容部１１０内で収容部１１０の内側に向くように緩衝部１２０に対して傾斜した押さえ部１３０で押さえた状態で収容している。そして、梱包材１００は、緩衝部１２０が被梱包物Ｗを内部に収納した収容部１１０の外側に突出して形成されている。
【００４７】
このような梱包材１００が落下して緩衝部１２０が落下面ＦＬと接触した場合、図９に示すように、物流負荷の一例としての衝撃Ｆが緩衝部１２０に作用する。この緩衝部１２０に作用した衝撃Ｆは、被梱包物Ｗの側部と接触している押さえ部１３０によって荷重Ｆ１、Ｆ２に分解されて受け止められる。これにより、衝撃Ｆは緩衝部１２０と押さえ部１３０で低減されて収容部１１０内に保持された被梱包物Ｗの破損が抑制されている。
【００４８】
梱包材１００が左右の緩衝部１２０又は天面から振動を受けた場合、図１０に示すように、物流負荷の一例としての振動Ｆが緩衝部１２０又は天面に作用する。この緩衝部１２０又は天面に作用した振動Ｆは、被梱包物Ｗの側部と接触している押さえ部１３０によって荷重Ｆ１、Ｆ２に分解されて受け止められる。これにより、振動Ｆは緩衝部１２０と押さえ部１３０で低減されて収容部１１０内に保持された被梱包物Ｗの破損が抑制されている。
【００４９】
このような物流負荷による衝撃及び振動を低減することができる本実施形態に係る梱包材１００の収容部１１０に収容する被梱包物Ｗとしては、特に長尺で端部に突起物を有する部材が好適であり、このような長尺部材としては、画像形成装置に使用される搬送ローラ体、転写ローラ体等が挙げられる。
【００５０】
「第２実施形態」
（１）梱包材の構成
図１１は梱包材１００Ａを展開した状態のシートを示す平面図である。
梱包材１００Ａは、第１側部１１６のうち押さえ部１３０を形成する部分よりも外側に折り込み線（山折り線）１０７を介して配置されているフラップ部１１６Ａが第１実施形態に係る梱包材１００と異なっている。以下、図面を参照しながら、梱包材１００Ａについて説明するが、第１実施形態に係る梱包材１００と共通の構成要素には、同一の符号を付し、その詳細な説明は省略する。
【００５１】
梱包材１００Ａの収容部１１０を形成した際に底面となる壁部１１１の長さ方向における両側には、壁部１１１に続いて折り込み線（谷折り線）１０５を介して第１側部１１６が配置されている。
そして、第１側部１１６のうち押さえ部１３０を形成する部分よりも外側には折り込み線（山折り線）１０７を介してフラップ部１１６Ａが配置されている。フラップ部１１６Ａは、図１１に示すように、折り曲げ方向に沿った幅Ｗ１が第１側部１１６の幅Ｗ０よりも広くなるように形成されている。
【００５２】
（２）梱包材の組み立て
図１２はシートＳＡを折り込んで押さえ部１３０を形成した梱包材１００Ａの斜視図、図１３は組み立てられた梱包材１００Ａの緩衝部１２０側に視点をおいた側面図である。
第１側部１１６のうち押さえ部１３０を形成する部分よりも外側に配置されたフラップ部１１６Ａは、折り込み線（山折り線）１０７で山折りされ収容部１１０の外側に折り曲げられる。そして、フラップ部１１６Ａは折り曲げ方向に沿った幅Ｗ１が第１側部１１６の幅Ｗ０よりも広くなるように形成されているために、折り曲げ方向と交差する方向の両端部１１６Ａａが折り込み線１０６で内側に折り込まれた第２側部１１７の折り曲げ端部１１７ａに載った状態になる（図１２  参照）。
【００５３】
図１３に示すように、収容部１１０の外側に折り曲げられたフラップ部１１６Ａは、折り曲げ方向と交差する方向の両端部１１６Ａａが折り込み線１０６で内側に折り込んで形成され緩衝部１２０の一部となる第２側部１１７の端部１１７ａと、天面内蓋となる壁部１１４の長さ方向における両側に壁部１１４に続いて配置された第３側部１１９との間に嵌まり込んで固定される。これにより、押さえ部１３０から外側に折り曲げられたフラップ部１１６Ａにアクセスすることが困難となり、梱包材１００Ａの容易な開梱を防ぐことができる。
【００５４】
「変形例」
図１４は変形例に係る梱包材１００Ｂを展開した状態のシートを示す平面図、図１５は梱包材１００Ｂを展開したシートＳＢから折り込む状態を示す平面図、図１６は組み立てられた梱包材１００Ｂの緩衝部１２０側に視点をおいた側面図である。
変形例に係る梱包材１００Ｂは、第２側部１１７が収容部１１０よりも外側で山折り谷折りされる折り部１１７Ａを有し、折り部１１７Ａにフラップ部１１６ａの折り曲げ方向と交差する方向の両端部が折り込まれて固定される。
【００５５】
図１４に示すように、第２側部１１７には外側に向かって伸びるように配置された折り部１１７Ａが設けられている。折り部１１７Ａは、第２側部１１７と折り込み線（山折り線）１０７を介して繋がる第１折り部１１７Ａａと、フラップ部１１６ａと折り込み線（山折り線）１０８を介して繋がる第２折り部１１７Ａｂからなる。
第１折り部１１７Ａａと第２折り部１１７Ａｂは、折り込み線（谷折り線）１０９で区画されている。
【００５６】
梱包材１００Ｂは、図１５に示すように、壁部１１１に続く第１側部１１６を折り込み線１０５で谷折りしながら、壁部１１１に隣り合う壁部１１２、１１３の長さ方向における両側に配置された第２側部１１７を折り込み線（山折り線）１０１ａ、１０２ａで山折りに折り込むと同時に、折り込み線（山折り線）１０１ａ、１０２ａに対して４５°より大きい角度で形成された折り込み線１０６（谷折り線）で内側に折り込む（谷折り：図１５中  矢印Ｒ２参照）。
【００５７】
また、第２側部１１７の内側への折り込みと同時に、フラップ部１１６ａを折り込み線１０７で山折りしながら、第１折り部１１７Ａａ（図１５中  網点で示す）と第２折り部１１７Ａｂ（図１５中  網点で示す）をそれぞれ折り込み線１０７及び折り込み線１０８で山折りしながら折り込み線１０９で内側に折り込む（谷折り：図１５中  矢印Ｒ３）。
【００５８】
これにより、図１６に示すように、折り部１１７Ａは第２側部１１７と繋がる第１折り部１１７Ａａとフラップ部１１６ａと繋がる第２折り部１１７Ａｂが重なり、フラップ部１１６ａの折り曲げ方向と交差する方向の両端部１１６ｂが折り部１１７Ａに折り込まれて固定されるために、フラップ部１１６ａにアクセスすることが困難となり、梱包材１００Ａの容易な開梱を防ぐことができる。
【００５９】
以上、本発明の実施形態として、具体例を挙げて説明したが、本発明の技術的範囲は前記実施形態に限定されるものではなく、本発明の趣旨を逸脱しない範囲において種々の変更を加えることが可能である。
例えば、本実施形態での梱包材１００、１００Ａ、１００Ｂにおいては、緩衝部１２０及び押さえ部１３０は、収容部１１０の両側に設けられている態様について説明したが、緩衝部１２０及び押さえ部１３０は収容部１３０の片側に設けられていてもよい。
また、梱包材１００、１００Ａ、１００Ｂは四角柱形状であるが、五角柱以上の多角柱形状でもよく、被梱包物Ｗが収容される収容部１１０は様々な形状が適用される。また、梱包材に収容される被梱包物Ｗとしては長尺部材に限らず、また、大きさを問わず、梱包材に収容される様々なものが適用される。
【符号の説明】
【００６０】
１００、１００Ａ、１００Ｂ・・・梱包材
１０１、１０２、１０３、１０４・・・折り込み線（谷折り線）
１０５、１０６・・・折り込み線（谷折り線）
１０７、１０８・・・折り込み線（山折り線）
１０９・・・折り込み線（谷折り線）
１０１ａ、１０２ａ・・・折り込み線（山折り線）
１１０・・・収容部
１１１、１１２、１１３、１１４、１１５・・・壁部
１１６・・・第１側部
１１６ａ、１１６Ａ・・・フラップ部
１１７・・・第２側部
１１７Ａ・・・折り部
１１７Ａａ・・・第１折り部
１１７Ａｂ・・・第２折り部
１１８・・・第４側部
１１９・・・第３側部
１２０・・・緩衝部
１３０・・・押さえ部
Ｗ・・・被梱包物
Ｓ、ＳＡ、ＳＢ・・・シート
【図１】
2020100430.tif 000003
【図２】
2020100430.tif 000004
【図３】
2020100430.tif 000005
【図４】
2020100430.tif 000006
【図５】
2020100430.tif 000007
【図６】
2020100430.tif 000008
【図７】
2020100430.tif 000009
【図８】
2020100430.tif 000010
【図９】
2020100430.tif 000011
【図１０】
2020100430.tif 000012
【図１１】
2020100430.tif 000013
【図１２】
2020100430.tif 000014
【図１３】
2020100430.tif 000015
【図１４】
2020100430.tif 000016
【図１５】
2020100430.tif 000017
【図１６】
2020100430.tif 000018